(57)【要約】【課題】コンピュータ装置と画像投影装置との通信接続作業を容易にすること。【解決手段】ＵＳＢコネクタを有しており、画像投影装置にＵＳＢコネクタを接続したときに画像投影装置から無線通信の設定情報を書き込み可能であり、かつコンピュータ装置に前記コネクタを接続したときに、画像投影装置から書き込まれた無線通信の設定情報をコンピュータ装置により読み出し可能としたＵＳＢメモリに無線通信部を設けたＵＳＢデバイスとした。【選択図】図２
2008090561.tif 000002
【特許請求の範囲】
【請求項１】
無線部を有し、前記無線部で受信される画像データに応じた画像を投影する画像投影装置に、前記画像データを無線通信により送信するコンピュータ装置の無線部として機能する無線デバイスであって、
前記画像投影装置及び前記コンピュータ装置のいずれにも接続可能なコネクタと、
前記画像投影装置に前記コネクタを接続したときに、前記画像投影装置から前記無線通信の設定情報を書き込み可能であり、かつ前記コンピュータ装置に前記コネクタを接続したときに、前記画像投影装置から書き込まれた前記無線通信の設定情報を前記コンピュータ装置により読み出し可能な無線設定情報記憶部と、
前記コンピュータ装置に前記コネクタを接続したときに、前記画像投影装置から書き込まれた前記無線通信の設定情報に基づいた設定により前記画像投影装置の無線部と通信を行う無線通信部と、
を備えたことを特徴とする無線デバイス。
【請求項２】
前記画像投影装置に画像データを前記無線通信部を介して送信する画像送信手段として前記コンピュータ装置を機能させるプログラムを格納するプログラム格納部を備えたことを特徴とする請求項１に記載の無線デバイス。
【請求項３】
前記画像投影装置への前記画像データの送信動作の停止を指示する画像送信停止操作部を備え、
前記画像送信手段は、前記画像送信停止操作部が操作されたとき、前記画像投影装置に特定画像を投影させるための要求を前記無線通信部を介して前記画像投影装置へ送信することを特徴とする請求項２に記載の無線デバイス。
【請求項４】
前記無線通信の設定情報には、前記無線通信部を機能させる有効時間を含むことを特徴とする請求項１〜３のいずれか１項に記載の無線デバイス。
【請求項５】
前記無線設定情報記憶部に記憶された前記有効時間を延長する有効時間延長手段を設けたことを特徴とする請求項４に記載の無線デバイス。
【請求項６】
前記画像送信手段は、
前記画像投影装置から送信される時間情報と前記無線設定情報記憶部に記憶された前記有効時間とに基づき、前記有効時間が経過したと判定すると、前記無線通信部の機能を停止することを特徴とする請求項４又は請求項５に記載の無線デバイス。
【請求項７】
無線部を有し、前記無線部で受信される画像データに応じた画像を投影する画像投影装置と、前記画像投影装置に前記画像データを送信するコンピュータ装置と、前記コンピュータ装置の無線部として機能する無線デバイスとを備えた画像投影システムにおける前記画像投影装置において、
前記画像投影装置は、
前記無線デバイスのコネクタを接続可能な接続部と、
前記無線デバイスが前記接続部に接続されたとき、前記無線通信の設定情報を前記無線デバイスの無線設定情報記憶部に書き込む制御部と、
を備えたことを特徴とする画像投影装置。
【請求項８】
前記制御部は、
前記無線デバイスが前記接続部に接続されたとき、前記無線部の動作を所定期間停止する
ことを特徴とする請求項７に記載の画像投影装置。
【請求項９】
前記制御部は、
当該画像投影装置の電源がＯＮとなったときに、前記無線デバイスが前記接続部に接続されているときは、前記無線通信の設定情報を前記無線デバイスの無線設定情報記憶部に書き込む
ことを特徴とする請求項７又は請求項８に記載の画像投影装置。
【請求項１０】
前記無線デバイスの無線設定情報記憶部に対して前記無線通信の設定情報の書き込み動作を指示する書き込み指示操作部を備え、
前記制御部は、
前記書き込み指示操作部が操作されたとき、前記無線通信の設定情報を前記無線デバイスの前記無線設定情報記憶部に書き込む
ことを特徴とする請求項７又は請求項８に記載の画像投影装置。
【請求項１１】
前記制御部は、
前記無線デバイスの識別情報が特定の識別情報でないと判定すると、前記無線デバイスの設定情報記憶部へ前記無線通信の設定情報の書き込みを行わない
ことを特徴とする請求項７〜１０のいずれか１項に記載の画像投影装置。
【請求項１２】
前記無線通信の設定情報には、前記無線通信における暗号キーを含み、
前記無線通信の設定情報を前記無線デバイスの無線設定情報記憶部に書き込む前に、前記無線通信の設定情報のうち少なくとも前記暗号キーを生成する設定情報生成部を備えた
ことを特徴とする請求項７〜１１のいずれか１項に記載の画像投影装置。
【請求項１３】
前記設定情報生成部は、
当該画像投影装置の電源がＯＮとなる毎に、前記無線通信の設定情報のうち少なくとも前記暗号キーを生成して更新する
ことを特徴とする請求項１２に記載の画像投影装置。
【請求項１４】
前記無線通信の設定情報のうち少なくとも前記暗号キーを生成して更新する動作を指示する更新指示操作部を備え、
前記設定情報生成部は、
前記更新操作部が操作される毎に、前記無線通信の設定情報のうち少なくとも前記暗号キーを生成して更新する
ことを特徴とする請求項１２又は請求項１３に記載の画像投影装置。
【請求項１５】
前記設定情報生成部は、
前記無線部を介して前記コンピュータ装置との通信が行われない期間が所定期間以上となったとき、前記無線通信の設定情報のうち少なくとも前記暗号キーを生成して更新する
ことを特徴とする請求項１２〜１４のいずれか１項に記載の画像投影装置。
【請求項１６】
前記無線通信の設定情報には、前記無線デバイスにおける無線通信部を機能させる有効期間を含み、
前記設定情報生成部は、前記有効期間を生成する
ことを特徴とする請求項１２〜１５のいずれか１項に記載の画像投影装置。
【請求項１７】
無線部を有し、前記無線部で受信される画像データに応じた画像を投影する画像投影装置と、前記画像投影装置に前記画像データを送信するコンピュータ装置と、前記コンピュータ装置の無線部として機能する無線デバイスとを備えた画像投影システムにおいて、
前記無線デバイスは、
前記画像投影装置及び前記コンピュータ装置のいずれにも接続可能なコネクタと、
前記画像投影装置に前記コネクタを接続したときに、前記画像投影装置から前記無線通信の設定情報を書き込み可能であり、かつ前記コンピュータ装置に前記コネクタを接続したときに、前記画像投影装置から書き込まれた前記無線通信の設定情報を前記コンピュータ装置により読み出し可能な無線設定情報記憶部と、
前記コンピュータ装置に前記コネクタを接続したときに、前記画像投影装置から書き込まれた前記無線通信の設定情報に基づいた設定により前記画像投影装置の無線部と通信を行う無線通信部と、
を備えたことを特徴とする画像投影システム。
【発明の詳細な説明】
【技術分野】
【０００１】
本発明は、無線デバイス、画像投影装置及び画像投影システムに関し、特に、無線部を有し、この無線部で受信される画像データに応じた画像を投影する画像投影装置と、画像データを無線通信により送信するコンピュータ装置と、このコンピュータ装置の無線部として機能する無線デバイスとを備えた画像投影システムに関する。
【背景技術】
【０００２】
従来より、コンピュータ装置等から画像データを入力して液晶表示素子に当該画像を表示し、光を照射して投影スクリーン上に拡大投影するプロジェクタなどの画像投影装置が広く使用されている。また、ＤＭＤ（Ｄｉｇｉｔａｌ  Ｍｉｃｒｏｍｉｒｒｏｒ  Ｄｅｖｉｃｅ）素子を用いて画像データに基づいた画像を投影する画像投影装置もある。
【０００３】
この画像投影装置は、会議における小規模のプレゼンテーションや、多数の聴衆を集めて自分の研究成果を発表する大規模のプレゼンテーション等において、多様に使用されている。このようなプレゼンテーションは、プレゼンテーターの手前にコンピュータ装置を配置した、このコンピュータ装置の表示部に表示している画像に応じた画像データを、コンピュータ装置からケーブルを介して画像投影装置へ送信し、画像投影装置が画像データに基づいた画像を拡大投射することによって行われる。
【０００４】
ところで、画像投影装置で画像を投影するためには、上述のようにコンピュータ装置と画像投影装置とをケーブルによって接続する必要となる。そのため、ケーブルの準備や接続の作業が発生し煩雑になる。しかも、プレゼンテーターのコンピュータ装置と画像投影装置との距離に応じたケーブルを用意する必要がある。
【０００５】
そこで、近年、ＩＥＥＥ８０２．１１ａ／ｂ／ｇなどの無線ＬＡＮ（Ｌｏｃａｌ  Ａｒｅａ  Ｎｅｔｗｏｒｋ）に対応した画像投影装置が提供されてきており、コンピュータ装置から画像投影装置への画像データの送信を無線通信によって行うことによって、利便性を向上させている。
【０００６】
ところで、コンピュータ装置を無線ＬＡＮ対応の画像投影装置に無線接続するためには、コンピュータ装置と画像投影装置のそれぞれについて無線通信の設定を行う必要がある。しかし、無線通信の設定にはある程度の知識を要し、容易に設定することができない場合も多い。そこで、この無線通信の設定の作業性を向上させるものが提案されている。
【０００７】
例えば、特許文献１では、画像投影装置において、ＷＥＰ（Ｗｉｒｅｄ  Ｅｑｕｉｐｍｅｎｔ  Ｐｒｉｖａｃｙ）キーなどの無線通信の設定情報をスクリーンに投影し、コンピュータ装置の利用者がスクリーンに投影された設定情報を見ながら、コンピュータ装置へ入力することによって、コンピュータ装置と画像投影装置との無線接続を確立する技術が提案されている。
【０００８】
また、特許文献２では、ＵＳＢコネクタを備えた情報記憶媒体によって、コンピュータ装置に設定されている無線通信の設定情報をＵＳＢコネクタを介して読み取り、その後、情報記憶媒体をＵＳＢコネクタを介して画像投影装置に接続することにより、コンピュータ装置から読み取った無線通信の設定情報を画像投影装置に設定する技術が提案されている。
【０００９】
また、特許文献３では、画像投影装置における無線通信の設定情報と同一の情報を記憶すると共にドライバプログラムを記憶したＵＳＢメモリと、無線接続モジュールとを画像投影装置と同梱して販売し、コンピュータ装置にＵＳＢメモリを接続して、無線通信の設定情報とドライバプログラムとをコンピュータ装置に自動的に収納し、その後無線接続モジュールを接続することによって、画像投影装置とコンピュータ装置との無線接続を確立する技術が提案されている。
【特許文献１】特開２００３−０６９９２３号公報
【特許文献２】特開２００５−２０２７５４号公報
【特許文献３】特開２００５−２８５０９１号公報
【発明の開示】
【発明が解決しようとする課題】
【００１０】
しかしながら、特許文献１に記載の技術では、画像投影装置における無線通信の設定情報を視覚的に把握することができるものの、コンピュータ装置への無線通信の設定情報は手動で行わなければならず、ある程度の知識と時間が必要である。
【００１１】
また、特許文献２に記載の技術では、無線通信の設定情報を手動で入力する必要がない点で利点があるが、コンピュータ装置に設定されている無線通信の設定情報を画像投影装置に設定することになることから、例えば、会議などで画像投影装置に投影させる画像を出力するコンピュータ装置を切り替えなければならないときには、切り替え先のコンピュータ装置にＵＳＢコネクタを備えた情報記憶媒体を接続した後、更に、画像投影装置に接続する必要があり、作業が煩雑となる。しかも、コンピュータ装置に、予めＷＥＰキーなどの暗号情報の設定やアクセスポイントとしての設定などを手動で行わなければならず、特許文献１の記載の技術と同様に、ある程度の知識と時間が必要である。
【００１２】
また、特許文献３に記載の技術では、画像投影装置における無線通信の設定情報と同一の情報を記憶したＵＳＢメモリをコンピュータ装置に接続することにより、コンピュータ装置に無線通信の設定を自動で行うことができる点で特許文献１及び特許文献２に比べて優れているが、ＵＳＢメモリ以外に、専用の無線接続モジュールが必要となるため開発コスト及び製造コストの面で問題がある。しかも、画像投影装置における無線通信の設定情報は、固定であることから、一旦無線通信の設定情報が漏洩してしまうと、画像投影装置とコンピュータ装置との無線通信を傍受されてしまう恐れがあり、セキュリティ上問題がある。例えば、画像投影装置を複数グループで共用する場合など、第１のグループが使ったあとでも無線通信の設定情報は第１のグループのコンピュータ装置に残っているので、次の第２のグループが画像投影装置を使用開始しても、第１のグループから継続して無線通信が可能となり、セキュリティ上問題があった。
【課題を解決するための手段】
【００１３】
そこで、本発明はかかる課題を解決するために、請求項１に記載の発明は、無線部を有し、前記無線部で受信される画像データに応じた画像を投影する画像投影装置に、前記画像データを無線通信により送信するコンピュータ装置の無線部として機能する無線デバイスであって、前記画像投影装置及び前記コンピュータ装置のいずれにも接続可能なコネクタと、前記画像投影装置に前記コネクタを接続したときに、前記画像投影装置から前記無線通信の設定情報を書き込み可能であり、かつ前記コンピュータ装置に前記コネクタを接続したときに、前記画像投影装置から書き込まれた前記無線通信の設定情報を前記コンピュータ装置により読み出し可能な無線設定情報記憶部と、前記コンピュータ装置に前記コネクタを接続したときに、前記画像投影装置から書き込まれた前記無線通信の設定情報に基づいた設定により前記画像投影装置の無線部と通信を行う無線通信部とを備えたことを特徴とする。
【００１４】
また、請求項２に記載の発明は、請求項１に記載の発明において、前記画像投影装置に画像データを前記無線通信部を介して送信する画像送信手段として前記コンピュータ装置を機能させるプログラムを格納するプログラム格納部を備えたことを特徴とする。
【００１５】
また、請求項３に記載の発明は、請求項２に記載の発明において、前記画像投影装置への前記画像データの送信動作の停止を指示する画像送信停止操作部を備え、前記画像送信手段は、前記画像送信停止操作部が操作されたとき、前記画像投影装置に前記特定画像を投影させるための要求を前記無線通信部を介して前記画像投影装置へ送信することを特徴とする。
【００１６】
また、請求項４に記載の発明は、請求項１〜３のいずれか１項に記載の発明において、前記無線通信の設定情報には、前記無線通信部を機能させる有効時間を含むことを特徴とする。
【００１７】
また、請求項５に記載の発明は、請求項４に記載の発明において、前記無線設定情報記憶部に記憶された前記有効時間を延長する有効時間延長手段を設けたことを特徴とする。
【００１８】
また、請求項６に記載の発明は、請求項４又は請求項５に記載の発明において、前記画像送信手段は、前記画像投影装置から送信される時間情報と前記無線設定情報記憶部に記憶された前記有効時間とに基づき、前記有効時間が経過したと判定すると、前記無線通信部の機能を停止することを特徴とする。
【００１９】
また、請求項７に記載の発明は、無線部を有し、前記無線部で受信される画像データに応じた画像を投影する画像投影装置と、前記画像投影装置に前記画像データを送信するコンピュータ装置と、前記コンピュータ装置の無線部として機能する無線デバイスとを備えた画像投影システムにおける前記画像投影装置において、前記画像投影装置は、前記無線デバイスのコネクタを接続可能な接続部と、前記無線デバイスが前記接続部に接続されたとき、前記無線通信の設定情報を前記無線デバイスの無線設定情報記憶部に書き込む制御部とを備えたことを特徴とする。
【００２０】
また、請求項８に記載の発明は、請求項７に記載の発明において、前記制御部は、前記無線デバイスが前記接続部に接続されたとき、前記無線部の動作を所定期間停止することを特徴とする
また、請求項９に記載の発明は、請求項７又は請求項８に記載の発明において、に記載の発明において、前記制御部は、当該画像投影装置の電源がＯＮとなったときに、前記無線デバイスが前記接続部に接続されているときは、前記無線通信の設定情報を前記無線デバイスの無線設定情報記憶部に書き込むことを特徴とする。
【００２１】
また、請求項１０に記載の発明は、請求項７又は請求項８に記載の発明において、に記載の発明において、前記無線デバイスの無線設定情報記憶部に対して前記無線通信の設定情報の書き込み動作を指示する書き込み指示操作部を備え、前記制御部は、前記書き込み指示操作部が操作されたとき、前記無線通信の設定情報を前記無線デバイスの前記無線設定情報記憶部に書き込むことを特徴とする。
【００２２】
また、請求項１１に記載の発明は、請求項７〜１０のいずれか１項に記載の発明において、前記制御部は、前記無線デバイスの識別情報が特定の識別情報でないと判定すると、前記無線デバイスの設定情報記憶部へ前記無線通信の設定情報の書き込みを行わないことを特徴とする。
【００２３】
また、請求項１２に記載の発明は、請求項７〜１１のいずれか１項に記載の発明において、前記無線通信の設定情報には、前記無線通信における暗号キーを含み、前記無線通信の設定情報を前記無線デバイスの無線設定情報記憶部に書き込む前に、前記無線通信の設定情報のうち少なくとも前記暗号キーを生成する設定情報生成部を備えたことを特徴とする。
【００２４】
また、請求項１３に記載の発明は、請求項１２に記載の発明において、前記設定情報生成部は、当該画像投影装置の電源がＯＮとなる毎に、前記無線通信の設定情報のうち少なくとも前記暗号キーを生成して更新することを特徴とする。
【００２５】
また、請求項１４に記載の発明は、請求項１２又は請求項１３に記載の発明において、前記無線通信の設定情報のうち少なくとも前記暗号キーを生成して更新する動作を指示する更新指示操作部を備え、前記設定情報生成部は、前記更新操作部が操作される毎に、前記無線通信の設定情報のうち少なくとも前記暗号キーを生成して更新することを特徴とする。
【００２６】
また、請求項１５に記載の発明は、請求項１２〜１４のいずれか１項に記載の発明において、前記無線部を介して前記コンピュータ装置との通信が行われない期間が所定期間以上となったとき、前記無線通信の設定情報のうち少なくとも前記暗号キーを生成して更新することを特徴とする。
【００２７】
また、請求項１６に記載の発明は、請求項１２〜１５のいずれか１項に記載の発明において、前記無線通信の設定情報には、前記無線デバイスにおける無線通信部を機能させる有効期間を含み、前記設定情報生成部は、前記有効期間を生成することを特徴とする。
【００２８】
また、請求項１７に記載の発明は、無線部を有し、前記無線部で受信される画像データに応じた画像を投影する画像投影装置と、前記画像投影装置に前記画像データを送信するコンピュータ装置と、前記コンピュータ装置の無線部として機能する無線デバイスとを備えた画像投影システムにおいて、前記無線デバイスは、前記画像投影装置及び前記コンピュータ装置のいずれにも接続可能なコネクタと、前記画像投影装置に前記コネクタを接続したときに、前記画像投影装置から前記無線通信の設定情報を書き込み可能であり、かつ前記コンピュータ装置に前記コネクタを接続したときに、前記画像投影装置から書き込まれた前記無線通信の設定情報を前記コンピュータ装置により読み出し可能な無線設定情報記憶部と、前記コンピュータ装置に前記コネクタを接続したときに、前記画像投影装置から書き込まれた前記無線通信の設定情報に基づいた設定により前記画像投影装置の無線部と通信を行う無線通信部とを備えたことを特徴とする。
【発明の効果】
【００２９】
請求項１,１７に記載の発明における無線デバイスは、無線部を有し、無線部で受信される画像データに応じた画像を投影する画像投影装置に、画像データを無線通信により送信するコンピュータ装置の無線部として機能するものであり、画像投影装置及びコンピュータ装置のいずれにも接続可能なコネクタと、画像投影装置にコネクタを接続したときに、画像投影装置から無線通信の設定情報を書き込み可能であり、かつコンピュータ装置にコネクタを接続したときに、画像投影装置から書き込まれた無線通信の設定情報をコンピュータ装置により読み出し可能な無線設定情報記憶部と、コンピュータ装置にコネクタを接続したときに、画像投影装置から書き込まれた無線通信の設定情報に基づいた設定により画像投影装置の無線部と通信を行う無線通信部とを備えたので、画像投影装置によって設定された無線通信の設定情報に基いて、画像投影装置とコンピュータ装置との間の通信を行うことができ、機密性の高い無線デバイス或いは画像投影システムを提供することが可能となる。
【００３０】
また、請求項２に記載の発明によれば、画像投影装置に画像データを無線通信部を介して送信する画像送信手段としてコンピュータ装置を機能させるプログラムを格納するプログラム格納部を備えたので、コンピュータ装置は、このプログラム格納部からプログラムを読み出して実行することにより、画像投影装置に画像データを無線通信部を介して送信する画像送信手段として機能することになり、無線デバイスを用いての無線通信設定を容易に行うことができる。
【００３１】
また、請求項３に記載の発明によれば、画像投影装置への画像データの送信動作の停止を指示する画像送信停止操作部が操作されたとき、画像投影装置に特定画像を投影させるための要求を無線通信部を介して画像投影装置へ送信するので、コンピュータ装置のユーザの操作によって、コンピュータ装置から送信する画像データに代えて特定の画像を画像投影装置から投影させることができ、コンピュータ装置から送信される画像データを見せたくないときに有効となる。
【００３２】
また、請求項４,１６に記載の発明によれば、無線通信の設定情報には、無線通信部を機能させる有効時間を含むので、画像投影装置によって無線デバイスによる画像投影装置との無線通信の有効時間を設定することができる。従って、例えば、プレゼンテーションなどの会議に画像投影装置を使用され、不特定多数の参加者のコンピュータ装置が用いられる場合であっても、以前に画像投影装置を使用したコンピュータ装置であって無線デバイスを取り付けたコンピュータ装置から誤って画像データが送信され、画像投影装置から送信されることを回避することができる。
【００３３】
また、請求項５に記載の発明によれば、無線設定情報記憶部に記憶された有効時間を延長する有効時間延長手段を設けたので、プレゼンテーションなどの会議が延びた場合であっても、継続して、コンピュータ装置の画像データを画像投影装置から投影することができる。
【００３４】
また、請求項６に記載の発明によれば、画像送信手段は、画像投影装置から送信される時間情報と無線設定情報記憶部に記憶され有効時間とに基づき、有効時間が経過したと判定すると、無線通信部の機能を停止するので、有効期間の精度を向上させることができる。すなわち、コンピュータ装置で生成する時間情報が誤っている場合であっても、有効期間を生成した画像投影装置の時間情報により有効時間の経過を検出することができるので、有効時間の経過を精度よく検出することができる。
【００３５】
また、請求項７に記載の発明によれば、無線部を有し、無線部で受信される画像データに応じた画像を投影する画像投影装置と、画像投影装置に画像データを送信するコンピュータ装置と、コンピュータ装置の無線部として機能する無線デバイスとを備えた画像投影システムにおける画像投影装置において、画像投影装置は、無線デバイスのコネクタを接続可能な接続部と、無線デバイスが接続部に接続されたとき、無線通信の設定情報を無線デバイスの無線設定情報記憶部に書き込む制御部とを備えたので、画像投影装置によって無線デバイスに対して無線通信の設定情報を設定し、この設定情報に基いて画像投影装置とコンピュータ装置との間の通信を行うことができるので、機密性の高い画像投影システムを提供することが可能となる。
【００３６】
また、請求項８に記載の発明によれば、制御部は、無線デバイスが接続部に接続されたとき、無線部の動作を所定期間停止するので、画像投影装置において、無線デバイスと無線部との意図しない通信を回避することができるとともに、無線部を停止することにより消費電力を低減することができる。
【００３７】
また、請求項９に記載の発明によれば、制御部は、画像投影装置の電源がＯＮとなったときに、無線デバイスが接続部に接続されているときは、無線通信の設定情報を無線デバイスの無線設定情報記憶部に書き込むので、例えば、無線デバイスのコネクタを画像投影装置に接続した状態を、画像投影装置及び無線デバイスの収納状態とすれば、画像投影装置の電源ＯＮにするだけで、無線デバイスへの書き込みが行われ、利便性に優れる。
【００３８】
また、請求項１０に記載の発明によれば、無線デバイスの無線設定情報記憶部に対して無線通信の設定情報の書き込み動作を指示する書き込み指示操作部を備え、制御部は、書き込み指示操作部が操作されたとき、無線通信の設定情報を前記無線デバイスの無線設定情報記憶部に書き込むので、ユーザの希望するタイミングにより無線デバイスへ無線通信の設定情報を書き込みことが可能となる。
【００３９】
また、請求項１１に記載の発明によれば、制御部は、無線デバイスの識別情報が特定の識別情報でないと判定すると、無線デバイスの設定情報記憶部へ無線通信の設定情報の書き込みを行わないので、専用のデバイスのみを無線デバイスとして用いることができる。
【００４０】
また、請求項１２に記載の発明によれば、無線通信の設定情報には、無線通信における暗号キーを含み、無線通信の設定情報を無線デバイスの無線設定情報記憶部に書き込む前に、無線通信の設定情報のうち少なくとも暗号キーを生成する設定情報生成部を備えたので、コンピュータ装置と画像投影装置との間の無線通信を傍受されてしまう恐れを低減することができる。
【００４１】
また、請求項１３に記載の発明によれば、設定情報生成部は、画像投影装置の電源がＯＮとなる毎に、無線通信の設定情報のうち少なくとも暗号キーを生成して更新するので、仮に暗号キーが知られた場合であっても、その後にコンピュータ装置と画像投影装置との間の無線通信を傍受されてしまう恐れを低減することができる。しかも、暗号キーが異なることになるため、以前に画像投影装置を使用したコンピュータ装置であって無線デバイスを取り付けたコンピュータ装置から誤って画像データが送信され、画像投影装置から送信されることを回避することができる。
【００４２】
また、請求項１４に記載の発明によれば、無線通信の設定情報のうち少なくとも前記暗号キーを生成して更新する動作を指示する更新指示操作部を備え、設定情報生成部は、記更新操作部が操作される毎に、無線通信の設定情報のうち少なくとも暗号キーを生成して更新するので、仮に暗号キーが知られた場合であっても、その後にコンピュータ装置と画像投影装置との間の無線通信を傍受されてしまう恐れを低減することができる。しかも、暗号キーが異なることになるため、以前に画像投影装置を使用したコンピュータ装置であって無線デバイスを取り付けたコンピュータ装置から誤って画像データが送信され、画像投影装置から送信されることを回避することができる。また、画像投影装置の電源をＯＦＦからＯＮにしたときに暗号キーを生成して更新するように構成した場合でも、画像投影装置の電源をＯＦＦにすると、光源であるランプの起動に時間がかかることから、画像投影装置の電源をＯＦＦしたくない場合がある。会議室に画像投影装置を設置しており、会議が連続するような場合である。このような場合であっても、更新指示操作部を設けているため極めて便利である。
【００４３】
また、請求項１５に記載の発明によれば、設定情報生成部は、無線部を介してコンピュータ装置との通信が行われない期間が所定期間以上となったとき、無線通信の設定情報のうち少なくとも暗号キーを生成して更新するので、所定期間以上コンピュータ装置と画像投影装置との通信がないときには、例えば、一つのプレゼンテーションが終了したと判定することができるので、プレゼンテーションごとに暗号キーを変更することができる。
【発明を実施するための最良の形態】
【００４４】
（画像投影システムＳの概要）
以下、本発明の実施の形態について、図面を参照しながら説明する。図１は本実施形態における画像投影システムＳの全体構成図、図２は本実施形態における画像投影システムＳにおける概略動作を説明するための図、図３は無線デバイスの外観図である。
【００４５】
図１に示すように、本実施形態における画像投影システムＳは、外部から入力される画像データに応じた画像をスクリーンに投影する画像投影装置２と、画像投影装置２へ画像データを送信するパーソナルコンピュータ３（以下、「コンピュータ装置３」とする。）と、コンピュータ装置３の無線部として機能するＵＳＢドングルである無線デバイス１とを備えている。コンピュータ装置３は、無線デバイス１における後述のＵＳＢコネクタ１０５（図３及び図４参照）を接続することによって、無線デバイス１を介して画像投影装置２に画像データを送信する。画像投影装置２は、コンピュータ装置３から無線デバイス１を介して無線通信により送信される画像データを受信して、この画像データに応じた画像をスクリーンに投影する。
【００４６】
ここで、画像投影装置２と無線デバイス１との間の無線通信は、ＩＥＥＥ８０２．１１ａ／ｂ／ｇなどの無線ＬＡＮ（Local Area Network）規格を満たすことができるように、画像投影装置２及び無線デバイス１は、それぞれ無線ＬＡＮ規格に準拠した無線部を有している。
【００４７】
無線ＬＡＮにおいては、上述のように無線通信を行うための設定を予め行わなければならい。設定しなければならない無線通信の設定情報（以下、「無線設定情報」とする。）としては、ネットワーク名であるＳＳＩＤ（Extended Service Set Identifier）や暗号キーであるＷＥＰ（Wired Equipment Privacy）キーなどがあり、ある程度知識がなければ設定することができず、その作業も煩雑である。
【００４８】
そこで、本実施形態における画像投影システムＳにおいては、無線デバイス１に無線設定情報を記憶させる無線設定情報記憶部を設けており、これにより無線設定情報の設定を自動的に行うこととしている。しかも、所定のタイミングで暗号キーを変更するようにしており、秘匿性を向上させている。
【００４９】
ここで、画像投影システムＳにおける無線通信の設定手順を簡単に説明する。図２は、本実施形態における無線通信の設定手順を説明するための図である。
【００５０】
図２（ａ）に示すように、無線デバイス１のＵＳＢコネクタ１０５を画像投影装置２のＵＳＢインターフェイス２０１に接続する。画像投影装置２は、無線デバイス１がＵＳＢインターフェイス２０１を介して接続されたことを検出すると、画像投影装置２の無線部による通信に必要な無線設定情報をＵＳＢインターフェイス２０１を介して無線デバイス１の記憶部に書き込む。このとき、無線デバイス１の書き込み中ランプ１５０（図３参照）が点滅し、無線設定情報を書き込み中であることが知らせられる。
【００５１】
画像投影装置２の無線部で用いる無線設定情報を書き込むタイミングは、（ａ）無線デバイス１が画像投影装置２に接続されたとき、（ｂ）画像投影装置２の電源がＯＮになったときに無線デバイス１が画像投影装置２に接続されているとき、或いは（ｃ）画像投影装置２に設けられた書き込み指示操作部としての設定書込ボタン２３０(図１及び図２参照)が操作されたとき、などがある。
【００５２】
なお、無線デバイス１が特定のデバイスでないときには、無線設定情報の書き込みは行われない。これは、接続されたデバイスがどのようなデバイスであっても書き込むことにすると、粗悪な無線デバイス１の不正規品（コピー品など）によって画像投影システムＳの動作が不安定となることを回避するためであり、専用のデバイスのみを無線デバイスとして用いることができるようにしている。接続されたデバイスが、専用の無線デバイス１であるか否かは、画像投影装置２が。そのデバイスに付与されている識別情報をデバイスから読み込み、例えば、この識別情報のうちメーカを示す部分が特定の情報であることを検出することによって判断することができる。
【００５３】
無線デバイス１への無線設定情報の書き込みが終了すると、書き込み中ランプ１５０の点滅が終了するので、図２（ｂ）に示すように、無線デバイス１を画像投影装置２から取り外して、今度はコンピュータ装置３のＵＳＢインターフェイス３０１に接続する。
【００５４】
コンピュータ装置３に無線デバイス１が接続されると、コンピュータ装置３は無線デバイス１に格納されたデバイスドライバプログラム（以下、「デバイスドライバ」と略す）、無線設定アプリケーションプログラム（以下、「無線設定アプリケーション」と略す）及び画像転送アプリケーションプログラム（以下、「画像転送アプリケーション」と略す）をインストールする。コンピュータ装置３の制御部は、無線設定アプリケーションの実行により、無線デバイス１の記憶部から無線設定情報を取り出し、この無線設定情報をデバイスドライバを用いて無線デバイス１の無線通信部に設定する。また、コンピュータ装置３の制御部は、画像転送アプリケーションの実行により、画像投影装置２に画像データを無線通信部を介して送信する画像送信手段として機能する。
【００５５】
以上により、画像投影装置２及び無線デバイス１の無線設定情報を合わせることができ、画像投影装置２と無線デバイス１との間で無線通信が可能となる。その後、図２（ｃ）に示すように、コンピュータ装置３の画像転送アプリケーションの実行によりコンピュータ装置３から無線デバイス１を介して、画像投影装置２へ画像データが送信され、画像投影装置２ではその画像データに基づいた画像をスクリーンに投影する。
【００５６】
また、無線デバイス１には、図３に示すように、画像送信停止操作部としての画像転送停止スイッチ１４０が設けられている。この画像転送停止スイッチ１４０が操作されると、コンピュータ装置３の画像転送アプリケーションがその操作を検出して、表示画面の転送を停止し、画像投影装置２から特定画像を投影させるための要求を無線デバイス１を介して画像投影装置２へ送信する。この要求を受信すると、画像投影装置２は、特定画像を投影する。この特定画像は、画像投影装置２に記憶させた画像データに基づく画像であり、例えば、黒画像、風景画像、「No Signal」を投影する画像などとすることができる。これにより、コンピュータ装置３のユーザは、コンピュータ装置３から画像転送を容易に停止することができ、コンピュータ装置３の画面を切り替える等の煩雑さを回避することができる。
【００５７】
また、画像投影装置２によって無線デバイス１に設定される無線設定情報には、無線デバイス１の無線部（後述の無線通信部１０７）を機能させる有効時間が含まれる。コンピュータ装置３の画像転送アプリケーションは、この有効時間を読み取ることにより、無線デバイス１の無線部による無線通信を行うことができる時間を制限する。
【００５８】
また、無線デバイス１には、図３に示すように、この有効時間を延長する有効時間延長手段としての通信時間延長ボタン１４１が設けられており、この通信時間延長ボタン１４１が操作されると、コンピュータ装置３の画像転送アプリケーションがその操作を検出し、無線デバイス１から読み出していた有効時間を延長するように変更する。
【００５９】
コンピュータ装置３の画像転送アプリケーションは、画像投影装置２から送信される時刻情報を受信する機能を有しており、この時間情報と無線デバイス１から読み出した有効時間とに基づき、有効時間が経過したと判定する。有効時間が経過したと判断した場合には、無線デバイス１の無線通信部の機能を停止する。
【００６０】
ところで、画像投影装置２が無線デバイス１に書き込む無線設定情報が常に一定では、セキュリティ上好ましくない。また、無線デバイス１を外し忘れたコンピュータ装置３から意図しない画像データが画像投影装置２に送信されてしまう恐れがある。そこで、画像投影装置２は無線設定情報のうち少なくとも暗号キーを更新する。
【００６１】
画像投影装置２が無線設定情報を更新するタイミングは、（ａ）画像投影装置２の電源がＯＦＦからＯＮになったとき、或いは（ｂ）画像投影装置２に設けられた更新操作部としての更新ボタン２３１(図１及び図２参照)が操作されたとき、（ｃ）無線デバイス１とコンピュータ装置３との通信が行われない期間が所定期間以上になったとき、などがある。
【００６２】
（各装置の構成及び動作の説明）
以上のように構成される画像投影システムＳについて、その構成及び動作について更に詳細に説明する。以下、本発明の実施の形態における無線デバイス１、画像投影装置２及びコンピュータ装置３のそれぞれの具体的構成及び動作を説明する。
【００６３】
（無線デバイスについて）
まず、無線デバイス１の構成及び動作について説明する。図４は無線デバイス１のブロック図、図５は無線デバイス１の機能ブロック図、図６はメモリコントローラ機能部の構ブロック図である。
【００６４】
無線デバイス１は、図４に示すように、ＣＰＵ（Central Processing Unit）１０１、ＲＡＭ(Random Access Memory)１０２、ＲＯＭ(Read Only Memory)１０３、フラッシュメモリ１０４、ＵＳＢコネクタ１０５、ＵＳＢ接続回路１０６、無線通信部１０７、操作部１０８、報知部１０９などから構成されており、持ち運び可能にコンパクトに設計されている。
【００６５】
ＣＰＵ１０１は、ＲＯＭ１０３に格納された制御プログラムを読み出して実行することによって、無線デバイス１の制御部として機能する。また、ＲＯＭ１０３には、識別情報（例えば、ＭＡＣアドレス）が格納されており、ＣＰＵ１０１の制御により、ＵＳＢコネクタ１０５を介して、画像投影装置２やコンピュータ装置３へこの識別情報を送信することができる。
【００６６】
ＲＡＭ１０２は、ＣＰＵ１０１によってワーキングメモリなどとして使用される。また、フラッシュメモリ１０４は、無線設定情報などを格納する無線設定情報記憶部等として機能する。
【００６７】
ここで、無線設定情報には、図９に示すように、無線ＬＡＮ規格種別（バンド）、ネットワークモード、ネットワーク名（ＥＳＳＩＤ）、無線チャンネル、認証レベル、暗号化レベル、データ暗号化方式、暗号キー、ＩＰアドレス、サブネットマスク、ＤＮＳのアドレス、有効時間などが含まれる。ネットワークモードには、アクセスポイントを必要とするインフラストラクチャーモードとアクセスポイントを必要としないアドホックモードがあるが、ここでは、無線デバイス１と画像投影装置間で直接無線通信ができるようにアドホックモードに設定される。
【００６８】
ＵＳＢコネクタ１０５は、汎用のＵＳＢコネクタであり、画像投影装置２及びコンピュータ装置３のＵＳＢコネクタに接続することができる。ＵＳＢコネクタ１０５を画像投影装置２又はコンピュータ装置３に接続したときに、ＣＰＵ１０１は、これらの装置とのデータの送受信をＵＳＢ接続回路１０６を介して行う。ＵＳＢ接続回路１０６は、ＵＳＢ規格に準じてデータの送受信を行うためのインターフェイス回路である。
【００６９】
このＵＳＢコネクタ１０５が画像投影装置２に接続されたとき、フラッシュメモリ１０４に画像投影装置２から無線設定情報を書き込み可能となるように、ＣＰＵ１０１によって制御される。また、ＵＳＢコネクタ１０５がコンピュータ装置３に接続されたとき、フラッシュメモリ１０４に書き込まれた無線設定情報をコンピュータ装置３により読み出し可能となるように、ＣＰＵ１０１により制御される。
【００７０】
無線通信部１０７は、アンテナ１１０と、ＲＦ部１１１と、ベースバンド部１１２とを有しており、無線ＬＡＮ規格に基づいてデータの送受信を行うことができる。なお、ＲＦ部１１１とベースバンド部１１２とはＷＬＡＮ（Wireless Local Area Network）チップにより構成される。
【００７１】
無線通信部１０７は、コンピュータ装置３にＵＳＢコネクタ１０５を接続したときに、画像投影装置２から書き込まれた無線設定情報に基づいた設定により画像投影装置の無線部と通信を行う。ここで、画像投影装置２から書き込まれた無線設定情報はまずコンピュータ装置３に読み込まれ、このように読み込んだ無線設定情報をコンピュータ装置３から無線デバイス１へ送信して、無線通信部１０７をその無線設定情報に従って無線通信を行わせるようにする方式や、ＣＰＵ１０１が画像投影装置２から無線設定情報を読み込んで無線通信部１０７をその無線設定情報に従って無線通信を行わせる方式などがあり、ここでは、前者の方式を例に挙げて説明する。
【００７２】
操作部１０８は、画像転送停止スイッチ１４０、通信時間延長ボタン１４１やリセットボタン１４２（図３参照）などを有しており、これらのボタンが操作されると、ＣＰＵ１０１がその操作を検出し、検出した操作に応じた処理を行う。
【００７３】
画像転送停止スイッチ１４０は、画像投影装置２への画像データの送信動作の停止を指示するためのスライドスイッチ（画像送信停止操作部の一例に相当）であり、画像停止ＯＮモードと、画像停止ＯＦＦモードとを切り替える切替スイッチである。コンピュータ装置３にＵＳＢコネクタ１０５を介して接続されている状態で、この画像転送停止スイッチ１４０が画像停止ＯＮモード側へ操作されたとき、ＣＰＵ１０１は、その旨の情報をコンピュータ装置に通知する。コンピュータ装置３のＣＰＵ３０５は、その情報を受信すると、画像転送アプリケーションの実行により、画像投影装置に特定画像（ここでは、黒画面画像）を投影させるための要求を無線通信部１０７を介して画像投影装置２へ送信する。
【００７４】
なお、コンピュータ装置３にＵＳＢコネクタ１０５を介して接続されている状態で、この画像転送停止スイッチ１４０が画像停止ＯＮモード側へ操作されたとき、ＣＰＵ１０１は、コンピュータ装置３から入力されるデータを画像投影装置１へ送信せずに、画像投影装置に特定画像を投影させるための要求を無線通信部１０７を介して画像投影装置２へ送信するようにしてもよい。
【００７５】
通信時間延長ボタン１４１は、フラッシュメモリ１０４に記憶された無線設定情報のうち有効時間を変更するための操作ボタン（有効時間延長手段の一例に相当）であり、押しボタン式のスイッチである。コンピュータ装置３にＵＳＢコネクタ１０５を介して接続されている状態で、この通信時間延長ボタン１４１が操作（押下）されたとき、ＣＰＵ１０１は、画像投影装置２と無線通信するための有効時間を延長する処理を行う。この処理は、ＣＰＵ１０１が、通信時間延長ボタン１４１が画像停止ＯＮモード側へ操作されたことコンピュータ装置３へ通知し、このコンピュータ装置３が無線デバイス１から取り出した有効時間を延長することによって行う。つまり、コンピュータ装置３は、画像投影装置２との無線通信を行うに当たり、無線デバイス１のフラッシュメモリ１０４に書き込まれた有効時間を読み出しておき、コンピュータ装置３の記憶部に記憶しておく。このように記憶した有効時間を経過したか否かを判定する。また、この記憶した有効時間を変更することによって有効時間を延長する。
【００７６】
なお、ＣＰＵ１０１によってフラッシュメモリ１０４に記憶した無線設定情報のうち有効時間を取り出し、この有効時間に延長時間（例えば、１時間）を加算し、フラッシュメモリ１０４に記憶した有効時間を上書きすることによって有効時間の延長を行うようにしてもよい。この場合、コンピュータ装置３の制御部２０３は、有効時間が経過したかの判定を行う毎に、無線デバイス１から有効時間を読み出すことになる。
【００７７】
報知部１０９は、書き込み中ランプＬＥＤ１５０、画像転送中ランプ１５１、アラームランプ１５２（図３参照）などを有しており、ＣＰＵ１０１は、状況に応じてこれらのランプを点灯或いは点滅させる。例えば、無線設定情報がフラッシュメモリ１０４に書き込まれ中であるときには書き込み中ランプＬＥＤ１５０を点滅させる。また、コンピュータ装置３から画像投影装置３へ画像データを送信中であるときには画像転送中ランプ１５１を点滅させる。なお、これらのランプは、ＬＥＤなどによって構成される。
【００７８】
ここで、図５に無線デバイス１の機能ブロック図を示す。図５に示すように、無線デバイス１は、ＵＳＢインターフェイス機能部１２０と、メモリコントローラ機能部１２１と、ＵＳＢハブ機能部１２２と、無線通信機能部１２３とを有している。
【００７９】
ＵＳＢインターフェイス機能部１２０は、図４におけるＵＳＢコネクタ１０５及びＵＳＢ接続回路１０６に対応し、画像投影装置２やコンピュータ装置３との間でＵＳＢ規格に基づいてデータの送受信を行う。
【００８０】
メモリコントローラ機能部１２１は、図４におけるＣＰＵ１０１及びフラッシュメモリ１０４に対応し、フラッシュメモリ１０４を、無線設定情報を記憶するＵＳＢメモリとしての機能させるリムーバル認識部１２４と、フラッシュメモリ１０４を、画像転送プログラムをコンピュータ装置３へ転送するためのＣＤ−ＲＯＭとしての機能させるＣＤ−ＲＯＭ認識部１２５とを備えており、ＵＳＢハブ機能部１２２によって無線デバイス１を画像投影装置２やコンピュータ装置３にＵＳＢメモリ及びＣＤ−ＲＯＭとしてそれぞれ認識させるようにしている。
【００８１】
無線通信機能部１２３は、図４における無線通信部１０７に対応し、無線デバイス１のＵＳＢコネクタ１０５をコンピュータ装置３に接続したときに、コンピュータ装置３にインストールされたドライバソフトによって制御される。
【００８２】
メモリコントローラ機能部１２１は、図６に示すように、リムーバル認識部１２４及びＣＤ−ＲＯＭ認識部１２５を有する他、物理メモリ部（フラッシュメモリ１０４の一部）には、無線設定アプリケーションや画像転送アプリケーションなどの複数のアプリケーションプログラム１３０と、デバイスドライバ１３１と、インストーラプログラム１３２と、無線設定情報１３３とが記憶される。なお、物理メモリ部としてのフラッシュメモリ１０４は、一つのフラッシュメモリで構成しても複数のフラッシュメモリで構成してもよい。
【００８３】
画像転送アプリケーションは、コンピュータ装置３にインストールされることにより、コンピュータ装置３に、無線デバイス１を制御して、コンピュータ装置３からの画像データを画像投影装置２へ送信する画像送信手段として機能させるものである。
【００８４】
また、デバイスドライバ１３１は、コンピュータ装置３にインストールされることにより、コンピュータ装置３に、無線デバイス１の無線通信部１０７を制御する機能を実行させるものである。
【００８５】
また、無線設定アプリケーションは、コンピュータ装置３にインストールされることにより、コンピュータ装置３に、無線デバイス１に無線設定情報などを設定する機能を実行させるものである。
【００８６】
インストーラプログラム１３２は、コンピュータ装置３によって実行されることにより、画像転送アプリケーション１３０やデバイスドライバ１３１をコンピュータ装置３にインストールするものである。
【００８７】
（画像投影装置２について）
画像投影装置２は、図７に示すように、ＵＳＢコネクタ（接続部の一例に相当する）を有し、ＵＳＢ規格に基づく通信を行うＵＳＢインターフェイス２０１と、各種操作を行うための操作パネル２０２と、画像投影装置２全体を制御する制御部２０３と、無線設定情報などの情報を保持するための不揮発性メモリ２０４と、計時手段である時計回路２０５と、無線ＬＡＮ規格に準拠した無線通信を行う無線部２０６と、外部から映像信号を入力する映像信号入力回路２０７と、映像信号入力回路２０７を介して入力される映像信号や無線部２０６を介して受信される画像データに基づいた画像を投影する投影部２０８とを備えており、これらはハウジングに内蔵される。
【００８８】
ＵＳＢインターフェイス２０１のＵＳＢコネクタには、無線デバイス１のＵＳＢコネクタを接続することができる。制御部２０３は、無線デバイス１のＵＳＢコネクタ１０５がＵＳＢインターフェイス２０１に接続されているか否かを検出し、接続されている場合には、無線デバイス１とのデータの送受信を行う。
【００８９】
操作パネル２０２は、投影装置において使用者が操作可能な箇所、すなわちハウジングの外壁面の適所に設けられており、使用者がこの操作パネル２０２を操作することによって、その操作内容に応じた制御を制御部２０３が実行する。操作パネル２０２には、上述した設定書込ボタン２３０（書き込み指示操作部の一例に相当）や更新ボタン２３１（更新操作部の一例に相当）などが配置されている。
【００９０】
制御部２０３は、ＣＰＵ，ＲＯＭ，ＲＡＭなどを内蔵しており、ＣＰＵがＲＯＭに予め格納されたプログラムを読み出して実行することによって制御部として機能する。なお、ＲＡＭはワーキングメモリなどとして用いられる。
【００９１】
不揮発性メモリ２０４は、例えば、フラッシュメモリ（flash memory）などから構成され、制御部２０３によって生成される無線設定情報などを保持する。
【００９２】
無線部２０６は、アンテナとアンテナを介して無線信号を送受信するＲＦ（無線）ユニットなどから構成される無線回路２１０と、無線回路２１０により送受信する無線信号を無線ＬＡＮ規格に準じた無線信号とする処理を行う無線制御部２１１とを備えている。なお、ここでの無線制御部２１１は、マイクロコンピュータから構成される。
【００９３】
映像信号入力回路２０７は、コンポジット映像信号（例えばＮＴＳＣ映像信号）やコンポーネント映像信号（例えばＲＧＢ信号）などの映像信号を外部からケーブルを介して入力するときのためのものである。
【００９４】
投影部２０８は、ランプ駆動回路２２０と、光源２２１と、照明光学系２２２と、透過型液晶パネル２２３（以下、「ＬＣＤ２２３」とする。）と、結像光学系２２４と、画像処理回路２２５と、ＬＣＤ駆動回路２２６と、ピント調整回路２２７とを備えている。
【００９５】
光源２２１は、ランプなどから構成され、制御部２０３によって制御されたランプ駆動回路２２０から出力される信号に基づいて、点灯駆動されて発光する。光源２２１で発光された光は、照明光学系２２２によって、照明光としてＬＣＤ２２３に照射される。
【００９６】
画像処理回路２２５は、制御ユニットＵによる制御に基づいて、映像信号入力回路２０７に入力された映像信号或いは無線部２０６により受信した画像データに対し、信号の付加や変更などの加工を行う。このように加工されて生成された画像信号は、ＬＣＤ駆動回路２２６に入力される。
【００９７】
ＬＣＤ２２３は、ＬＣＤ駆動回路２２６によって駆動され、その表示面に映像を表示する。このように表示された映像は、照明光学系２２２からの照明光によって、光としてＬＣＤ２２３から出射される。続いて、この出射光は、結像光学系２２４及びハウジングの投影用開口部を通って、スクリーン（投射面）に投影される。このように、ＬＣＤ２２３に表示される画像がスクリーンに投影される構成となっている。なお、ピント調整機構によって、スクリーンに投影する画像のピントを調整することができる。
【００９８】
ここで、画像投影装置２における無線情報の設定について、図８，図１０及び図１１のフローチャートを参照して具体的に説明する。図８は画像投影装置２における無線情報の設定処理のフローチャート、図９は無線設定情報の一例を示す図、図１０は画像投影装置２における有効時間埋め込み処理のフローチャート、図１１は画像投影装置２における暗号キー自動更新処理のフローチャートである。
【００９９】
まず、図８を参照して、画像投影装置２における無線情報設定の基本的な動作の一例について説明する。
【０１００】
図８に示すように、画像投影装置２の制御部２０３は、画像投影装置２の電源がＯＮされたか否か、設定書込ボタン２３０がＯＮ（押下）されたか否か、及び無線デバイス１が挿入されたか否かを検出する（ステップＳ１００）。この処理において、電源のＯＮ、設定書込ボタン２３０のＯＮ及び無線デバイス１の挿入のいずれかを検出すると（ステップＳ１００：ＹＥＳ）、制御部２０３は、ステップＳ１０１の処理に移行する。
【０１０１】
ステップＳ１０１において、制御部２０３は、無線部２０６の機能を動作させ、無線部２０６での無線信号の送受信を開始して（ステップＳ１０１）、処理をステップＳ１０２に移行する。
【０１０２】
ステップＳ１０２において、制御部２０３は、ＵＳＢインターフェイス２０１にＵＳＢデバイスが挿入されているか否かを判定する（ステップＳ１０２）。この処理において、ＵＳＢデバイスが挿入されていると判定すると（ステップＳ１０２：ＹＥＳ）、制御部２０３は、ＵＳＢデバイスの識別情報を取得する（ステップＳ１０３）。ここでは、識別情報として、ＵＳＢデバイスに割り当てられたＭＡＣアドレスを例に挙げて説明する。
【０１０３】
次に、制御部２０３は、挿入されているＵＳＢデバイスの識別情報が無線デバイス１が保有する識別情報であるか否かを判定する（ステップＳ１０４）。ここで、識別情報であるＭＡＣアドレスは、上位２４ビットがベンダーＩＤとなっており、下位２４ビットがベンダー毎に割り当てるシリアル番号となっている。制御部２０３は、ＵＳＢデバイスのＭＡＣアドレスが所定のベンダーＩＤであり、かつ所定のシリアル番号となっているか否かを判定することにより、ＵＳＢデバイスのＭＡＣアドレスが無線デバイス１のＭＡＣアドレスであるか否かを判定する。
【０１０４】
この処理において、挿入されたＵＳＢデバイスが無線デバイス１であると判定すると（ステップＳ１０４：ＹＥＳ）、制御部２０３は、無線部２０６の機能を停止して、無線部２０６での無線信号の送受信を停止する（ステップＳ１０５）。
【０１０５】
その後、制御部２０３は、時計回路２０５から現時刻の情報を取得し（ステップＳ１０６）、さらに接続可能時間を不揮発性メモリ２０４から読み出す（ステップＳ１０７）。このとき、制御部２０３は、接続可能時間と現時刻とに基づいて、有効時間を算出する。例えば、接続可能時間が２時間であり、現時刻がＰＭ２：３０であるとすると、有効時間をＰＭ４：３０とする。また、年月日も有効時間に含める。
【０１０６】
次いで、制御部２０３は、無線部２０６等で用いる暗号キーを生成して（ステップＳ１０８）、ステップＳ１０９に処理を移行する。このように、制御部２０３は、無線設定情報を無線デバイス１のフラッシュメモリ１０４に書き込む前に、無線設定情報のうち少なくとも暗号キーを生成する設定情報生成部として機能する。なお、暗号キーの生成は、無線デバイス１に無線設定情報を書き込む直前に行うようにしているが、画像投影装置の電源がＯＮとなる毎に暗号キーの生成を行うようにすることもできる。また、設定書込ボタン２３０が操作される毎に暗号キーの生成を行うようにしてもよい。
【０１０７】
ステップＳ１０９において、制御部２０３は、無線設定情報を不揮発性メモリ２０４から読み出す。ここで読み出す無線設定情報は、図９に示したように、ネットワークモード、ネットワーク名（暗号キーと有効時間を除く）などがある。なお、このように読み出した情報とステップＳ１０８で生成した暗号キー及びステップＳ１０７で生成した有効時間が無線デバイス１に書き込むための無線設定情報となる。但し、ＩＰアドレスに関しては、画像投影装置２とは異なるＩＰアドレスが設定される。
【０１０８】
次に、制御部２０３は、無線デバイス１への無線設定情報の書き込み処理を開始するために、無線デバイス１へ書き込み要求を行う。この要求が無線デバイス１で受信されると、無線デバイス１のＣＰＵ１０１は、書き込み中ランプ１５０を点灯させる（ステップＳ１１０）。
【０１０９】
その後、制御部２０３は、無線設定情報を無線デバイス１のフラッシュメモリ１０４に書き込む。また、書き込み中ランプ１５０を点滅させる（ステップＳ１１０）。
（ステップＳ１１１）。制御部２０３は、書き込みが終了するまで待ち（ステップＳ１１２）、この書き込みが終了すると（ステップＳ１１２：ＹＥＳ）、処理をステップＳ１１３に移行する。
【０１１０】
ステップＳ１１３において、制御部２０３は、無線デバイス１がＵＳＢインターフェイス２０１から無線デバイス１が抜かれたか否かを判定する（ステップＳ１１４）。この処理において、無線デバイス１が抜かれたと判定すると（ステップＳ１１４：ＹＥＳ）、制御部２０３は、無線部２０６の機能を再開して、無線部２０６での無線信号の送受信を可能とし（ステップＳ１１５）、処理をステップＳ１１５に移行する。
【０１１１】
ステップＳ１０２において、ＵＳＢインターフェイス２０１にＵＳＢデバイスが挿入されていないと判定すると（ステップＳ１０２：ＮＯ）、処理をステップＳ１１６に移行する。
【０１１２】
また、ステップＳ１０４において、挿入されたＵＳＢデバイスが無線デバイス１ではないと判定すると（ステップＳ１０４：ＮＯ）、制御部２０３は、処理をステップＳ１１６に移行する。なお、ＵＳＢデバイスが無線部を有するデバイスであっても、その識別情報が特定の識別情報でないと判定すると、無線デバイス１ではないと判定して、無線設定情報の書き込みを行わないようにしている。
【０１１３】
ステップＳ１１６において、制御部２０３は、電源がオフであるか否かを判断する。制御部２０３は、電源がオフであると判定した場合には（ステップＳ１１６：ＹＥＳ）、本処理を終了する一方、電源がオフではないと判定した場合には（ステップＳ１１６：ＮＯ）、ステップＳ１００から繰り返し処理を実行することとなる。
【０１１４】
以上のように、本実施形態における画像投影装置２の制御部２０３は、無線デバイス１がＵＳＢコネクタ１０４に接続されると、画像投影装置２と無線通信を行うための無線設定情報をこの無線デバイス１に書き込むようにしている。また、無線デバイス１がＵＳＢコネクタ１０４に接続されてから所定期間は、無線部２０６の動作を停止するようにしている。
【０１１５】
ところで、上述の実施形態においては、暗号キーと有効時間とを別々の情報として無線デバイス１に書き込むこととしたが、暗号キーに有効時間を埋め込むようにしてもよい。
【０１１６】
この場合、図１０に示すように、制御部２０３は、まずランダム変数を生成する（ステップＳ１２０）。その後、制御部２０３は、不揮発性メモリ２０４に記憶している無線設定情報のうち接続可能時間の情報を取得し、このように取得した接続可能時間と時計回路２０５から得られた現時刻の情報と基づいて有効時間を演算する（ステップＳ１２１）。
【０１１７】
次いで、制御部２０３は、不揮発性メモリ２０４に記憶している無線設定情報の暗号キーのモードが６４ｂｉｔなのか１２８ｂｉｔなのかを判定する（ステップＳ１２２）。この処理において、暗号キーのモードが１２８ｂｉｔであると判定する（ステップＳ１２２：ＹＥＳ）と、制御部２０３は、暗号キーの制限を１３文字或いは２６桁の１６進数とする（ステップＳ１２３）。一方、暗号キーのモードが６４ｂｉｔであると判定すると、制御部２０３は、暗号キーの制限を５文字或いは１０桁の１６進数とする（ステップＳ１２４）。
【０１１８】
その後、ステップＳ１２０で生成したランダム変数（ランダム値）とステップＳ１２１で演算した有効時間とに基づいて、制御部２０３は、暗号キーを生成する。この暗号キーは、ステップＳ１２３の処理或いはステップＳ１２４の処理によって制限された条件で生成されることになる。例えば、１２８ｂｉｔの場合、１３文字のうち、前半７文字をランダム変数で構成し、後半６文字を日時で構成する。このように、構成することにより、コンピュータ装置３の画像転送アプリケーションは、暗号キーにより有効時間を設定することができる。また、コンピュータ装置３のＣＰＵ３０５は、画像転送アプリケーションの実行により、暗号キーに基づいて、有効時間を検出することができる。
【０１１９】
ところで、画像投影装置２によって生成する暗号キーを継続して同一の暗号キーとしてしまうと、仮に暗号キーが知られた場合に、その後にコンピュータ装置と画像投影装置との間の無線通信を傍受されてしまう恐れがある。上述においては、無線デバイス１に無線設定情報を書き込む毎に暗号キーを更新することによって、無線通信の秘匿性を向上させている。
【０１２０】
ところが、複数のコンピュータ装置３の表示画像を切り替えて、画像投影装置２から表示画像を投影する場合、複数のコンピュータ装置３にそれぞれ接続するための、複数の無線デバイス１が必要となる。しかし、無線デバイス１毎に暗号キーを変更してしまうと、最新に画像投影装置２に接続した無線デバイス１のみしか画像投影装置と通信ができなくなってしまうという問題がある。また、無線デバイス１が接続される毎に暗号キーを変更しなければならず処理に負荷が生じる。
【０１２１】
そこで、本実施形態の画像投影装置２においては、所定の条件を満たすときに、暗号キーを更新するようにしている。このように暗号キーを更新する手法の一例を、図面を参照して説明する。図１１は、暗号キー自動更新処理のフローチャートである。
【０１２２】
図１１に示すように、暗号キー自動更新処理が開始されると、制御部２０３は、まず、経過時間を初期化する（ステップＳ１３０）。
【０１２３】
その後、制御部２０３は、無線デバイス１がＵＳＢインターフェイス２０１から抜かれたか否かを検出する（ステップＳ１３１）。この処理において、無線デバイス１がＵＳＢインターフェイス２０１から抜かれたと判定すると（ステップＳ１３１：ＹＥＳ）、制御部２０３は、経過時間のカウントアップを開始（ステップＳ１３２）して、処理をステップＳ１３３に移行する。
【０１２４】
ステップＳ１３３において、カウントアップしている経過時間を取得した後、制御部２０３は、画像投影装置２の無線部２０６が無線通信を行っている状態（無線接続中）であるか否かを判定する（ステップＳ１３４）。
【０１２５】
この処理において、無線部２０６が無線通信を行っていない状態であると判定すると（ステップＳ１３４：ＮＯ）、制御部２０３は、経過時間が接続許容時間を越えたか否かを判定する（ステップＳ１３５）。一方、無線部２０６が無線通信を行っている状態であると判定すると（ステップＳ１３４：ＹＥＳ）、制御部２０３は、経過時間をリセット（ステップＳ１３７）して、処理をステップＳ１３１に移行する。
【０１２６】
ステップＳ１３５において、経過時間が接続許容時間を越えたと判定すると（ステップＳ１３５：ＹＥＳ）、制御部２０３は、暗号キーの更新を行って暗号キー自動更新処理を終了する。一方、経過時間が接続許容時間を越えていないと判定すると（ステップＳ１３５：ＮＯ）、制御部２０３は、処理をステップＳ１３１に移行する。
【０１２７】
このように本実施形態の画像投影装置２の制御部２０３は、無線部２０６を介してコンピュータ装置３との通信が行われない期間が所定期間以上（例えば、２時間以上）となったとき、無線設定情報のうち少なくとも暗号キーを生成して更新するようにしており、これにより暗号キー生成処理の負荷を低減することができる。また、複数の無線デバイス１に無線設定を行うことができる。なお、ＩＰアドレスに関しては、制御部２０３は、無線デバイス１毎に異なるＩＰアドレスを割り当てるようにする必要がある。
【０１２８】
また、暗号キーの更新を自動的に行うことに加え又は代えて、手動操作によって行うようにしてもよい。すなわち、画像投影装置２には、無線設定情報のうち少なくとも暗号キーを生成して更新する動作を指示する更新ボタン２３１を備えており、更新ボタン２３１が操作される毎に、無線設定情報のうち少なくとも暗号キーを生成して更新するようにしてもよい。画像投影装置２の電源をＯＮのままにして、利用者や利用グループが交代する場合には、暗号キーを更新することにより高いセキュリティを確保できる。
【０１２９】
（コンピュータ装置３について）
次に、コンピュータ装置３について、図面を参照して説明する。図１２は本実施形態におけるコンピュータ装置３のブロック図である。
【０１３０】
図１２に示すように、コンピュータ装置３は、ＵＳＢコネクタ３０１と、ＵＳＢバスコントローラ３０２と、表示部であるＬＣＤ３０３と、ＬＤＣ３０３に表示させるための処理を行うグラフィックスコントローラ３０４と、コンピュータ装置３全体の制御を行うＣＰＵ３０５と、プログラムや各種パラメータを格納するメモリ３０６と、これらを接続する第１のバス３０７を備えている。
【０１３１】
さらに、コンピュータ装置３は、１０ＢＡＳＥ-Ｔや１００ＢＡＳＥ-ＴＸに対応したＬＡＮインターフェイス３１０と、マウス３１１と、キーボード３１２と、ＣＤ／ＤＶＤドライブ３１３と、フロッピー（登録商標）ディスクドライブ３１４と、ハードディスク３１５と、これらを接続する第２のバス３１６を備えている。そして、第１のバス３０７と第２のバス３１６とのデータのやり取りを制御するバスコントローラ３０８とを備えている。
【０１３２】
ＵＳＢコネクタ３０１とＵＳＢバスコントローラ３０２によって、無線デバイス１や外付けキーボードなどのＵＳＢデバイスとＵＳＢ規格に基づいたデータの送受信を処理を行うものである。
【０１３３】
また、メモリ３０６には、オペレーティングシステム（ＯＳ）プログラムやプレゼンテーション用アプリケーションプログラムが格納されており、コンピュータ装置３の電源がオンになると、まずＣＰＵ３０５はメモリ３０６からＯＳプログラムを読み出して実行することにより、マウス３１１やキーボード３１２の入出力に関する機能や、メモリ３０６やハードディスク３１５などのメモリ管理など、コンピュータ装置の基本的な機能を実行可能にするものである。
【０１３４】
そして、このＯＳプログラムがＣＰＵ３０５によって実行された状態で、プレゼンテーション用アプリケーションプログラムなどのコンピュータプログラムがメモリ３０６から読み出されて実行される。なお、後述のように、デバイスドライバや画像転送用アプリケーションプログラムがインストールされた場合には、これらもＣＰＵ３０５によって実行されることにより、各種の制御を行うことになる。
【０１３５】
以上のように構成されたコンピュータ装置３における無線情報設定の基本的な動作の一例について説明する。図１３は、コンピュータ装置３における無線情報設定の動作を示すフローチャートであり、コンピュータ装置３の制御部であるＣＰＵ３０５によって制御されるものである。
【０１３６】
図１３に示すように、コンピュータ装置３のＣＰＵ３０５は、無線デバイス１が接続されているか否かを判定する（ステップＳ２００）。無線デバイス１が接続されているか否かの判定は、ＵＳＢコネクタ３０１にＵＳＢデバイスが接続されたか否かを判定し、さらにＵＳＢデバイスが接続されたときに、このＵＳＢデバイスが特定の識別情報を有しているかによって判定する。
【０１３７】
この処理において、無線デバイス１が挿入されたと判定すると（ステップＳ２００：ＹＥＳ）、ＣＰＵ３０５は、オートラン動作の処理を開始する（ステップＳ２０１）。このオートラン動作処理は、図１４におけるＳ２２０〜Ｓ２２７の処理であり、後述する。
【０１３８】
オートラン動作処理が終了すると、ＣＰＵ３０５は、画像転送アプリケーションが正常に起動しているか否かを判定する（ステップＳ２０２）。この処理において、画像転送アプリケーションが正常に起動していると判定する（ステップＳ２０２：ＹＥＳ）と、処理をステップＳ２０３に移行する。以下、ステップＳ２０３からＳ２１６までの動作は、ＣＰＵ３０５が画像転送アプリケーションに従って動作することによって画像送信手段等として機能することによって実行される。
【０１３９】
ステップＳ２０３において、ＣＰＵ３０５は、ＵＳＢコネクタ３０１を介して無線デバイス１の画像転送中ランプ１５１の点灯要求を行う。この点灯要求を受けると無線デバイス１のＣＰＵ１０１は画像転送中ランプ１５１を点灯する。
【０１４０】
次に、ＣＰＵ３０５は、コンピュータ装置３の表示部であるＬＣＤ３０３に表示している画面（以下、「表示画面」とする。）に応じた画像データを画像投影装置２に送信を開始する。この処理は、ＣＰＵ３０５が、表示画像のデータをＵＳＢコネクタ３０１を介して無線デバイス１へ送信し、この無線デバイス１から無線通信によって画像投影装置２へ送信されるものであり、このように送信された表示画像データを画像投影装置２が受信すると、この表示画像データに基づいた画像をスクリーンに投影することになる。
【０１４１】
表示画像のデータを転送している状態で、ＣＰＵ３０５は、無線デバイス１の画像転送停止スイッチ１４０がＯＮにされたか否かを判定する（ステップＳ２０５）。ここで、無線デバイス１のＣＰＵ１０１は、画像転送停止スイッチ１４０が画像停止ＯＮモード側（スイッチＯＮ）へと操作されたことを検出すると、ＵＳＢコネクタ１０５を介してコンピュータ装置３にその旨の情報を通知する。この情報の通知を受けたとき、ＣＰＵ３０５は、無線デバイス１の画像転送停止スイッチ１４０がスイッチＯＮされたと判定することになる。
【０１４２】
ステップＳ２０５において、無線デバイス１の画像転送停止スイッチ１４０がスイッチＯＮへと操作されたと判定すると（ステップＳ２０５：ＹＥＳ）、ＣＰＵ３０５は、無線デバイスの画像転送中ランプ１５１を消灯させ（ステップＳ２０９）、処理をステップＳ２１０に移行する。無線デバイスの画像転送中ランプ１５１の消灯は、点灯時と同様に、ＣＰＵ３０５がＵＳＢコネクタ３０１を介して無線デバイス１の画像転送中ランプ１５１の消灯要求を行うことによって実行される。一方、無線デバイス１の画像転送停止スイッチ１４０がスイッチＯＮへと操作されていないと判定すると（ステップＳ２０５：ＮＯ）、ＣＰＵ３０５は、処理をステップＳ２０６に移行する。
【０１４３】
ステップＳ２１０において、ＣＰＵ３０５は、画像投影装置２に特定画像である黒画面表示指示コマンドを無線デバイス１を介して画像投影装置２へ送信して、処理をステップＳ２１１に移行する。
【０１４４】
ここで、黒画面表示指示コマンドの送信をＣＰＵ３０５の制御を行うこととしたが、無線デバイス１のＣＰＵ１０１が、画像転送停止スイッチ１４０がスイッチＯＮへと操作されたときに、黒画面表示指示コマンドの送信を行うようにしてもよい。この場合、
ステップＳ２１１において、ＣＰＵ３０５は、無線デバイス１の画像転送停止スイッチ１４０が画像停止ＯＦＦモード側（ＯＦＦ）へと操作されたか否かを判定する。ここで、無線デバイス１のＣＰＵ１０１は、画像転送停止スイッチ１４０がスイッチＯＦＦへと操作されたことを検出すると、ＵＳＢコネクタ１０５を介してコンピュータ装置３にその旨の情報を通知する。この情報の通知を受けたとき、ＣＰＵ３０５は、無線デバイス１の画像転送停止スイッチ１４０がスイッチＯＦＦへと操作されたと判定することになる。
【０１４５】
この処理において、無線デバイス１の画像転送停止スイッチ１４０がスイッチＯＦＦへと操作されたと判定すると（ステップＳ２１１：ＹＥＳ）、ＣＰＵ３０５は、処理をステップＳ２０６に移行する。
【０１４６】
ステップＳ２０６において、ＣＰＵ３０５は、画像投影装置２に対して時刻情報（現時刻の情報）を要求し、この要求に対して画像投影装置２から送信される時刻情報を取得して、処理をステップＳ２０７へ移行する。
【０１４７】
ステップＳ２０７において、ＣＰＵ３０５は、有効時間が経過したか否かを判定する。有効時間が経過したか否かの判定は、画像投影装置２から取得した時刻情報と無線デバイス１から読み込んだ無線設定情報とに基づいて行う。すなわち、有効時間が経過したか否かの判定を、画像投影装置２から取得した現時刻が無線デバイス１から読み込んだ無線設定情報に含まれる有効時間よりも遅い時間であるか否かにより判定する。
【０１４８】
この処理において、有効時間を経過したと判定すると（ステップＳ２０７：ＹＥＳ）、ＣＰＵ３０５は、タイムアウトメッセージをＬＣＤ３０３に表示して（ステップＳ２１２）、画像投影装置２との無線接続を切断する（ステップＳ２１３）。画像投影装置２との無線接続の切断は、無線デバイス１に対して、ＣＰＵ３０５が、画像投影装置２との無線接続の切断の要求を送信し、無線デバイス１がこの要求に応じることによって行われる。無線接続の切断を終了すると、ＣＰＵ３０５は、画像転送アプリケーションの実行を終了する（ステップＳ２１４）。
【０１４９】
また、有効時間が経過していない場合であっても、ＣＰＵ３０５は、有効時間まで所定時間（例えば、５分）を切ったと判定すると、有効時間を経過する前に有効時間を延長するように、ＬＣＤ３０３に有効時間が迫っている旨の表示を行う。このＬＣＤ３０３への表示に代えて或いは共に、ＣＰＵ３０５は、有効時間が迫っている旨の情報を無線デバイス１を介して画像投影装置２に送信し、画像投影装置２から投影する画像に、有効時間が迫っている旨の情報をスーパーンポーズさせるようにしてもよい。
【０１５０】
また、ステップＳ２０７において、有効時間を経過していないと判定すると（ステップＳ２０７：ＮＯ）、ＣＰＵ３０５は、無線デバイス１がコンピュータ装置３から抜かれたか否かを判定する（ステップＳ２０８）。この処理において、無線デバイス１がコンピュータ装置３から抜かれたと判定すると（ステップＳ２０８：ＹＥＳ）、ＣＰＵ３０５は、エラーメッセージをＬＣＤ３０３に表示して（ステップＳ２１５）、画像転送アプリケーションの実行を終了する（ステップＳ２１６）。一方、無線デバイス１がコンピュータ装置３から抜かれていないと判定すると（ステップＳ２０８：ＹＥＳ）、ＣＰＵ３０５は、処理をステップＳ２０５へ移行する。
【０１５１】
ステップＳ２０２において、画像転送アプリケーションが正常に動作していないとき（ステップＳ２０２：ＮＯ）、或いは、ステップＳ２１４の処理、ステップＳ２１６の処理が終了すると、ＣＰＵ３０５は、本メイン処理を終了する。
【０１５２】
次に、ステップＳ２０１におけるオートラン動作処理について、図１４を参照して説明する。図１４はコンピュータ装置におけるオートラン処理のフローチャートである。このオートラン動作は、無線デバイス１が接続されたときに、この無線デバイス１のＣＤ−ＲＯＭ認識部１２５の機能により、ＣＰＵ３０５が、無線デバイス１をＣＤ−ＲＯＭとして認識し、自動的に無線デバイス１の情報を読み込むことによって動作するものである。
【０１５３】
図１４に示すように、ＣＰＵ３０５は、自コンピュータ装置３にデバイスドライバ１３１がインストールされていないか否かを判定する（ステップＳ２２０）。この処理において、デバイスドライバ１３１がインストールされていないと判定すると（ステップＳ２２０：ＹＥＳ）、ＣＰＵ３０５は、無線デバイス１のフラッシュメモリ１０４に記憶されている無線通信部１０７制御用のデバイスドライバ１３１をＵＳＢコネクタ３０１を介して読み出し、自コンピュータ装置３に対してこのデバイスドライバ１３１のインストール処理を施す（ステップＳ２２１）。
【０１５４】
ステップＳ２２１の処理が終了したとき、或いは、ステップＳ２２０において、デバイスドライバがインストールされていると判定したとき（ステップＳ２２０：ＹＥＳ）、ＣＰＵ３０５は、無線設定アプリケーションを起動し、無線デバイス１に保持されている無線設定情報をＵＳＢコネクタ３０１を介して読み出す（ステップＳ２２３）。
【０１５５】
次に、ＣＰＵ３０５は、ＷＬＡＮ（無線ＬＡＮ）のネットワークの設定を行う（ステップＳ２２４）。このネットワーク設定は、無線デバイス１に対して行うものである。すなわち、ＣＰＵ３０５は、ＵＳＢコネクタ３０１を介して、無線デバイス１に無線設定情報を送信し、無線デバイス１はこの無線設定情報に従ってＷＬＡＮのネットワークの設定を行う。ＷＬＡＮのネットワークの設定には、ＬＡＮ通信を行うためのＩＰアドレス、サブネットマスク、ＤＮＳのＩＰアドレスなどのＩＰネットワークの設定と、ネットワーク名や暗号キーなど無線通信に必要な情報の設定とがある。
【０１５６】
ステップＳ２２４の処理が終了すると、ＣＰＵ３０５は、画像投影装置２との無線通信が無線デバイス１を介して接続されているか否か、言い換えれば画像投影装置２とネットワーク接続がされているか否かを判定する（ステップＳ２２５）。この処理において、画像投影装置２とのネットワーク接続が行われていると判定すると（ステップＳ２２５：ＹＥＳ）、ＣＰＵ３０５は、画像転送アプリケーションを起動して実行する（ステップＳ２２６）。一方、画像投影装置２とのネットワーク接続が行われていないと判定すると（ステップＳ２２５：ＮＯ）、ＣＰＵ３０５は、エラーメッセージ表示処理を行う（ステップＳ２２７）。このエラーメッセージ表示処理は、ＣＰＵ３０５がＬＣＤ３０３にエラーメッセージを表示することによって行われる。
【０１５７】
ステップＳ２２６の処理、又はステップＳ２２７の処理が終了すると、本オートラン動作処理を終了する。
【０１５８】
なお、コンピュータ装置３のＣＰＵ３０５は、無線デバイス１の電源制御を行うようにしている。すなわち、無線デバイス１は、上述のようにメモリコントローラ機能部１２１と無線通信機能部１２３とを有しており、これらの電源をそれぞれ別々にＯＮ，ＯＦＦ制御できるようにしている。このようにメモリコントローラ機能部１２１と無線通信機能部１２３と個別にＯＮ，ＯＦＦすることできるので、ＵＳＢデバイスとしての限られた電力の範囲内で、信頼性の高い無線接続動作を実行することができる。例えば、ステップＳ２２０からＳ２２３においては、メモリコントローラ機能部１２１への電源をＯＮにし、無線通信機能部１２３への電源はＯＦＦにする。また、ステップＳ２２４からＳ２２７においては、メモリコントローラ機能部１２１への電源をＯＦＦにし、無線通信機能部１２３への電源はＯＮにするのである。また、無線デバイス１の記憶部に格納された画像転送アプリケーションをコンピュータ装置１のハードディスク３１５にコピーする場合には、メモリコントローラ機能部１２１への電源をＯＮにし、無線通信機能部１２３への電源はＯＦＦにする。
【０１５９】
以上のように本実施形態の画像投影システムＳでは、無線デバイス１は、無線部２０６を有し、無線部２０６で受信される画像データに応じた画像を投影する画像投影装置２に、画像データを無線通信により送信するコンピュータ装置３の無線部として機能するものである。この無線デバイス１には、画像投影装置２及びコンピュータ装置３のいずれにも接続可能なＵＳＢコネクタ１０５と、画像投影装置２にＵＳＢコネクタ１０５を接続したときに、画像投影装置２から無線設定情報（無線通信の設定情報）を書き込み可能であり、かつコンピュータ装置３にＵＳＢコネクタ１０５を接続したときに、画像投影装置２から書き込まれた無線設定情報をコンピュータ装置３により読み出し可能なフラッシュメモリ１０４と、コンピュータ装置３にＵＳＢコネクタ１０５を接続したときに、画像投影装置２から書き込まれた無線設定情報に基づいた設定により画像投影装置２の無線部２０６と通信を行う無線通信部１０７とを備えたので、画像投影装置２によって設定された無線設定情報に基いて、画像投影装置２とコンピュータ装置３との間の通信を行うことができ、機密性の高い無線デバイス１或いは画像投影システムＳを提供することが可能となる。
【０１６０】
以上、本発明の実施の形態のうちのいくつかを図面に基づいて詳細に説明したが、これらは例示であり、当業者の知識に基づいて種々の変形、改良を施した他の形態で本発明を実施することが可能である。
【０１６１】
例えば、無線デバイス１と画像投影装置２及びコンピュータ装置３との間をＵＳＢ規格に基づく通信で説明したが、これに限られず、他の通信規格により通信を行うようにしてもよい。
【図面の簡単な説明】
【０１６２】
【図１】本実施形態における画像投影システムの全体構成図である。
【図２】本実施形態における画像投影システムにおける概略動作を説明するための図である。
【図３】本実施形態における無線デバイスの外観図である。
【図４】本実施形態における無線デバイスのブロック図である。
【図５】本実施形態における無線デバイスの機能ブロック図である。
【図６】図５のメモリコントローラ機能部のブロック図である。
【図７】本実施形態における画像投影装置のブロック図である。
【図８】本実施形態における画像投影装置の動作説明のためのフローチャートである。
【図９】本実施形態における無線設定情報の例を示す図である。
【図１０】本実施形態における画像投影装置の動作説明のためのフローチャートである。
【図１１】本実施形態における画像投影装置の動作説明のためのフローチャートである。
【図１２】本実施形態におけるコンピュータ装置のブロック図である。
【図１３】本実施形態におけるコンピュータ装置の動作説明のためのフローチャートである。
【図１４】本実施形態におけるコンピュータ装置の動作説明のためのフローチャートである。
【符号の説明】
【０１６３】
１  無線デバイス
２  画像投影装置
３  コンピュータ装置３
１０１  無線デバイスのＣＰＵ（制御部）
１０４  フラッシュメモリ（記憶部）
２０３  画像投影装置の制御部
３０５  コンピュータ装置のＣＰＵ（制御部）
【図１】
2008090561.tif 000003
【図２】
2008090561.tif 000004
【図３】
2008090561.tif 000005
【図４】
2008090561.tif 000006
【図５】
2008090561.tif 000007
【図６】
2008090561.tif 000008
【図７】
2008090561.tif 000009
【図８】
2008090561.tif 000010
【図９】
2008090561.tif 000011
【図１０】
2008090561.tif 000012
【図１１】
2008090561.tif 000013
【図１２】
2008090561.tif 000014
【図１３】
2008090561.tif 000015
【図１４】
2008090561.tif 000016